(57)【要約】  【課題】従来は、ＥＰＧには含まれていないが、視聴者がそのような番組を現実には視聴することができてしまう可能性が低くないという課題があった。  【解決手段】番組のチャンネルの周波数の選択を行うチューナ部４と、番組に関する、外部から提供されるＥＰＧの解析を行うＥＰＧ解析部３と、ＥＰＧの解析の結果として得られるＥＰＧチャンネル情報には存在しないチャンネルの周波数の選択が行われないように、周波数の選択の制御を行うチューナ制御部７と、を備えた、チューナ制御装置である。【選択図】図１
2008306579.tif 000002
【特許請求の範囲】
【請求項１】
番組のチャンネルの周波数の選択を行う周波数選択ユニットと、
前記番組に関する、外部から提供されるＥＰＧの解析を行うＥＰＧ解析ユニットと、
前記ＥＰＧの前記解析の結果として得られるＥＰＧチャンネル情報には存在しない前記チャンネルの前記周波数の前記選択が行われないように、前記周波数の前記選択の制御を行う周波数選択制御ユニットと、
を備えた、チューナ制御装置。
【請求項２】
前記ＥＰＧは、前記番組を放送するための放送波とは異なる伝送媒体を利用して前記外部から提供される、請求項１記載のチューナ制御装置。
【請求項３】
前記ＥＰＧは、前記番組を放送するための放送波を利用して前記外部から提供される、請求項１記載のチューナ制御装置。
【請求項４】
少なくとも、前記ＥＰＧチャンネル情報に基づいて生成される周波数選択制御情報を保持する周波数選択制御情報保持ユニットを備え、
前記周波数選択制御ユニットは、前記周波数選択制御情報保持ユニットが保持している前記周波数選択制御情報に基づいて、前記周波数の前記選択の前記制御を行う、請求項１記載のチューナ制御装置。
【請求項５】
前記周波数選択制御情報保持ユニットが保持している前記周波数選択制御情報は、前記ＥＰＧが前記外部から新たに提供されると更新される、請求項４記載のチューナ制御装置。
【請求項６】
前記周波数選択制御情報保持ユニットは、前記周波数選択ユニットが前記選択を行うことが可能な前記周波数の前記チャンネルに関するチャンネルプリセット情報をも保持し、
前記周波数選択制御情報は、前記ＥＰＧチャンネル情報および前記チャンネルプリセット情報の何れにも存在する前記チャンネルに関するチャンネル情報として生成される、請求項４記載のチューナ制御装置。
【請求項７】
前記周波数選択制御情報保持ユニットに対して、前記チャンネルプリセット情報を設定するチャンネルプリセット情報設定ユニットを備えた、請求項６記載のチューナ制御装置。
【請求項８】
前記周波数選択制御ユニットは、前記ＥＰＧチャンネル情報が利用できるようになるまでは、前記番組のデータ信号の出力または表示の抑制が行われるように、前記周波数の前記選択の前記制御を行う、請求項１記載のチューナ制御装置。
【請求項９】
前記ＥＰＧは、所定の前記番組を含まないように加工されたＥＰＧとして前記外部から提供される、請求項１記載のチューナ制御装置。
【請求項１０】
番組のチャンネルの周波数の選択を行う周波数選択ステップと、
前記番組に関する、外部から提供されるＥＰＧの解析を行うＥＰＧ解析ステップと、
前記ＥＰＧの前記解析の結果として得られるＥＰＧチャンネル情報には存在しない前記チャンネルの前記周波数の前記選択が行われないように、前記周波数の前記選択の制御を行う周波数選択制御ステップと、
を備えた、チューナ制御方法。
【請求項１１】
請求項１０記載のチューナ制御方法の、前記番組に関する、外部から提供されるＥＰＧの解析を行うＥＰＧ解析ステップと、前記ＥＰＧの前記解析の結果として得られるＥＰＧチャンネル情報には存在しない前記チャンネルの前記周波数の前記選択が行われないように、前記周波数の前記選択の制御を行う周波数選択制御ステップと、をコンピュータに実行させるためのプログラム。
【請求項１２】
請求項１１記載のプログラムを記録した記録媒体であって、コンピュータで利用可能な記録媒体。
【発明の詳細な説明】
【技術分野】
【０００１】
本発明は、たとえば、ＥＰＧと連動して放送される番組を選択するための、チューナ制御装置、チューナ制御方法、プログラム、および記録媒体に関する。
【背景技術】
【０００２】
近年、現在放送されている番組の情報、またはこれから放送される番組の情報を含むＥＰＧ（Ｅｌｅｃｔｒｉｃ  Ｐｒｏｇｒａｍ  Ｇｕｉｄｅ）が、放送波などを利用して配信されるようになってきている。
【０００３】
視聴者は、リモートコントローラなどを手動操作して、テレビなどのモニタにＥＰＧを表示し、モニタに表示されたＥＰＧを利用して所望の番組を選択することが可能である。
【０００４】
さて、ＥＰＧには含まれているが、視聴者がそのような番組を現実には視聴することができない場合が、ある。
【０００５】
たとえば、ＥＰＧには全国の何れの地域でも利用可能であるように放送されている全ての番組が含まれているために、その地域では受信電力が低く現実には受信不可能な番組もＥＰＧに表示されてしまう場合が、ある。
【０００６】
このような場合には、現実には受信不可能な番組がＥＰＧに多数存在するため、モニタに表示されたＥＰＧの番組からその地域で現実に受信可能な所望の番組を選択することは、視聴者にとって面倒であった。
【０００７】
そこで、各々の番組について放送波の受信電力の強度を測定し、その地域では放送波の受信電力が低く現実には受信不可能な番組をＥＰＧに表示しないように制御する技術が、ある（例えば、特許文献１参照）。
【特許文献１】特開平８−２５１１２２号公報
【発明の開示】
【発明が解決しようとする課題】
【０００８】
ところで、上述した場合とは反対に、ＥＰＧには含まれていないが、視聴者がそのような番組を現実には視聴することができる場合も、あり得る。
【０００９】
たとえば、本発明者がその将来的な実現を予想しているような、（１）親機となるデバイスが、インターネットなどを介して受信したＥＰＧを、成人向けの番組などが表示されないように自動操作または手動操作によって加工した上でホームネットワークに配信し、（２）同ホームネットワークに接続された子機となるテレビは、その加工されたＥＰＧを利用する場合が、考えられる。
【００１０】
このような場合には、前述したように加工されたＥＰＧが利用されるので、同番組は子機となるテレビが利用するモニタではＥＰＧに表示されないものの、子機となるテレビが利用するチューナのチューニング可能な周波数でその番組が放送されていれば、視聴者がリモートコントローラなどを手動操作してチャンネルＵＰやチャンネルＤＯＷＮを何回も行ったり周波数の選択を上手に行ったりすると、ＥＰＧに表示されない番組も視聴でき得る。
【００１１】
結局のところ、たとえば、子供が子機となるテレビを利用して成人向けの番組を容易に視聴できてしまう可能性は、低くない。
【００１２】
このように、ＥＰＧには含まれていないが、視聴者がそのような番組を現実には視聴することができてしまう可能性が低くないという課題があった。
【００１３】
本発明は、上記従来の課題を考慮して、ＥＰＧには含まれていないが、視聴者がそのような番組を現実には視聴することができてしまう可能性をより低くできる、チューナ制御装置、チューナ制御方法、プログラム、および記録媒体を提供することを目的とする。
【課題を解決するための手段】
【００１４】
上記目的を達成するための第１の本発明は、
番組のチャンネルの周波数の選択を行う周波数選択ユニットと、
前記番組に関する、外部から提供されるＥＰＧの解析を行うＥＰＧ解析ユニットと、
前記ＥＰＧの前記解析の結果として得られるＥＰＧチャンネル情報には存在しない前記チャンネルの前記周波数の前記選択が行われないように、前記周波数の前記選択の制御を行う周波数選択制御ユニットと、
を備えた、チューナ制御装置である。
【００１５】
また、第２の本発明は、
前記ＥＰＧは、前記番組を放送するための放送波とは異なる伝送媒体を利用して前記外部から提供される、第１の本発明のチューナ制御装置である。
【００１６】
また、第３の本発明は、
前記ＥＰＧは、前記番組を放送するための放送波を利用して前記外部から提供される、第１の本発明のチューナ制御装置である。
【００１７】
また、第４の本発明は、
少なくとも、前記ＥＰＧチャンネル情報に基づいて生成される周波数選択制御情報を保持する周波数選択制御情報保持ユニットを備え、
前記周波数選択制御ユニットは、前記周波数選択制御情報保持ユニットが保持している前記周波数選択制御情報に基づいて、前記周波数の前記選択の前記制御を行う、第１の本発明のチューナ制御装置である。
【００１８】
また、第５の本発明は、
前記周波数選択制御情報保持ユニットが保持している前記周波数選択制御情報は、前記ＥＰＧが前記外部から新たに提供されると更新される、第４の本発明のチューナ制御装置である。
【００１９】
また、第６の本発明は、
前記周波数選択制御情報保持ユニットは、前記周波数選択ユニットが前記選択を行うことが可能な前記周波数の前記チャンネルに関するチャンネルプリセット情報をも保持し、
前記周波数選択制御情報は、前記ＥＰＧチャンネル情報および前記チャンネルプリセット情報の何れにも存在する前記チャンネルに関するチャンネル情報として生成される、第４の本発明のチューナ制御装置である。
【００２０】
また、第７の本発明は、
前記周波数選択制御情報保持ユニットに対して、前記チャンネルプリセット情報を設定するチャンネルプリセット情報設定ユニットを備えた、第６の本発明のチューナ制御装置である。
【００２１】
また、第８の本発明は、
前記周波数選択制御ユニットは、前記ＥＰＧチャンネル情報が利用できるようになるまでは、前記番組のデータ信号の出力または表示の抑制が行われるように、前記周波数の前記選択の前記制御を行う、第１の本発明のチューナ制御装置である。
【００２２】
また、第９の本発明は、
前記ＥＰＧは、所定の前記番組を含まないように加工されたＥＰＧとして前記外部から提供される、第１の本発明のチューナ制御装置である。
【００２３】
また、第１０の本発明は、
番組のチャンネルの周波数の選択を行う周波数選択ステップと、
前記番組に関する、外部から提供されるＥＰＧの解析を行うＥＰＧ解析ステップと、
前記ＥＰＧの前記解析の結果として得られるＥＰＧチャンネル情報には存在しない前記チャンネルの前記周波数の前記選択が行われないように、前記周波数の前記選択の制御を行う周波数選択制御ステップと、
を備えた、チューナ制御方法である。
【００２４】
また、第１１の本発明は、
第１０の本発明のチューナ制御方法の、前記番組に関する、外部から提供されるＥＰＧの解析を行うＥＰＧ解析ステップと、前記ＥＰＧの前記解析の結果として得られるＥＰＧチャンネル情報には存在しない前記チャンネルの前記周波数の前記選択が行われないように、前記周波数の前記選択の制御を行う周波数選択制御ステップと、をコンピュータに実行させるためのプログラムである。
【００２５】
また、第１２の本発明は、
第１１の本発明のプログラムを記録した記録媒体であって、コンピュータで利用可能な記録媒体である。
【発明の効果】
【００２６】
本発明によれば、ＥＰＧには含まれていないが、視聴者がそのような番組を現実には視聴することができてしまう可能性をより低くできる、チューナ制御装置、チューナ制御方法、プログラム、および記録媒体を提供することができる。
【発明を実施するための最良の形態】
【００２７】
以下に、本発明の実施の形態について、図面を参照しながら説明する。
【００２８】
はじめに、図１〜４を参照しながら、本実施の形態におけるチューナ制御装置の構成について説明する。
【００２９】
なお、図１は、本発明の実施の形態におけるチューナ制御装置の構成図である。また、図２は、本発明の実施の形態におけるチューナプリセットチャンネル情報のリストＬ１の説明図である。また、図３は、本発明の実施の形態におけるＥＰＧチャンネル情報のリストＬ２の説明図である。また、図４は、本発明の実施の形態におけるチューナ制御情報のリストＬ３の説明図である。
【００３０】
本実施の形態におけるチューナ制御装置は、番組のチャンネルの周波数の選択を行うチューナ部４と、外部から提供されるＥＰＧ（Ｅｌｅｃｔｒｉｃ  Ｐｒｏｇｒａｍ  Ｇｕｉｄｅ）の解析を行うＥＰＧ解析部３と、ＥＰＧの解析の結果として得られるＥＰＧチャンネル情報には存在しないチャンネルの周波数の選択が行われないように、周波数の選択の制御を行うチューナ制御部７と、を主な構成要素として備えている。
【００３１】
なお、本実施の形態におけるＥＰＧは、後述されるように、番組を放送するための放送波とは異なる伝送媒体である、ホームネットワークとしてのイーサネット（登録商標）を利用して外部から提供される。
【００３２】
ここで、本実施の形態におけるチューナ制御装置の構成についてより詳細に説明する。
【００３３】
ＥＰＧ加工装置１は、子機に相当するチューナ制御装置の親機として、インターネットなどを介して受信された、あらゆる番組のオリジナルなＥＰＧを成人向けの番組などが表示されないように加工し、加工されたＥＰＧを同チューナ制御装置に提供する装置である。
【００３４】
イーサネット部２は、ＥＰＧ加工装置１によって加工されたＥＰＧを、イーサネットを介して受信するユニットである。
【００３５】
ＥＰＧ解析部３は、リストＬ２（図３参照）に記載されているようなＥＰＧチャンネル情報が得られるように、イーサネット部２で受信されたＥＰＧの解析を行うユニットである。
【００３６】
なお、リストＬ２に記載されているようなＥＰＧチャンネル情報は、ＥＰＧのチャンネル（ここでは、チャンネル１、３および５）と、対応する周波数（ここでは、周波数ｆ１、ｆ３およびｆ５）と、の組み合わせを含むチャンネル情報である。
【００３７】
チューナ部４は、放送波の周波数の選択を行うことが可能なユニットである。
【００３８】
チューナ制御情報設定部５は、販売店の技術者やユーザの指示に応じて、チューナ部４が受信可能な周波数とチャンネルとの対応関係の設定を、その対応関係がチューナ制御装置の存在する地域に適したものとなるように、チューナ制御情報保持部６に対して行うユニットである。
【００３９】
なお、リストＬ１に記載されているようなチューナプリセットチャンネル情報は、そのようにして設定された、チューナ部４が受信可能な周波数（ここでは、周波数ｆ１〜ｆ４）と、対応するチャンネル（ここでは、チャンネル１〜４）と、の組み合わせを含むチャンネル情報である。
【００４０】
チューナ制御情報保持部６は、上述したように、リストＬ１（図２参照）に記載されているようなチューナプリセットチャンネル情報を保持するとともに、後述するように、リストＬ２（図３参照）に記載されているようなＥＰＧチャンネル情報、およびリストＬ３（図４参照）に記載されているようなチューナ制御情報をも保持するユニットである。
【００４１】
チューナ制御部７は、ＥＰＧ解析部３が行ったＥＰＧの解析の結果を、リストＬ２（図３参照）に記載されているようなＥＰＧチャンネル情報としてチューナ制御情報保持部６に書き込むとともに、そのようにしてチューナ制御情報保持部６に書き込まれたＥＰＧチャンネル情報、およびチューナ制御情報保持部６が保持しているチューナプリセットチャンネル情報を参照して、チューナプリセットチャンネル情報とＥＰＧチャンネル情報との論理積をとり、ＥＰＧチャンネル情報およびチューナプリセットチャンネル情報の何れにも存在するチャンネルを、リストＬ３（図４参照）に記載されているようなチューナ制御情報として生成してチューナ制御情報保持部６に書き込むユニットである。
【００４２】
なお、リストＬ３に記載されているようなチューナ制御情報は、ＥＰＧチャンネル情報およびチューナプリセットチャンネル情報の何れにも存在するチャンネル（ここでは、チャンネル１および３）と、対応する周波数（ここでは、周波数ｆ１およびｆ３）と、の組み合わせを含むチャンネル情報である。
【００４３】
そして、チューナ制御部７は、チューナ制御情報保持部６が保持しているチューナ制御情報を参照して、チューナ部４に対し、ラッチ回路でラッチされた、チューナ制御情報に存在するチャンネルの周波数の選択しか許さないような制御を行うユニットである。
【００４４】
このため、チューナ制御部７は、ＥＰＧチャンネル情報には存在しないチャンネルの周波数の選択が行われないように、チューナ部４に対し、周波数の選択の制御を行うことが可能なユニットである。
【００４５】
チャンネル選択部８は、ユーザの指示に応じて、チャンネルの選択を行うユニットである。
【００４６】
表示装置９は、チューナ部４が出力する番組のデータ信号やＥＰＧの表示を行うユニットである。
【００４７】
なお、チューナ部４は本発明の周波数選択ユニットに対応し、ＥＰＧ解析部３は本発明のＥＰＧ解析ユニットに対応し、チューナ制御部７は本発明の周波数選択制御ユニットに対応し、チューナ制御情報保持部６は本発明の周波数選択制御情報保持ユニットに対応し、チューナ制御情報設定部５は本発明のチャンネルプリセット情報設定ユニットに対応する。
【００４８】
また、リストＬ１（図２参照）に記載されているようなチューナプリセットチャンネル情報は本発明のチャンネルプリセット情報に対応し、リストＬ２（図３参照）に記載されているようなＥＰＧチャンネル情報は本発明のＥＰＧチャンネル情報に対応し、リストＬ３（図４参照）に記載されているようなチューナ制御情報は本発明の周波数選択制御情報に対応する。
【００４９】
つぎに、主として図１を参照しながら、本実施の形態におけるチューナ制御装置の動作、および本発明におけるチューナ制御方法の一実施の形態について説明する。
【００５０】
チューナ制御情報設定部５は、チューナ部４が受信可能な周波数とチャンネルとの対応関係を含むチューナプリセットチャンネル情報の設定を、その対応関係がチューナ制御装置の存在する地域に適したものとなるように、チューナ制御情報保持部６に対して行う。
【００５１】
ＥＰＧ加工装置１は、インターネットなどを介して受信された、あらゆる番組のオリジナルなＥＰＧを成人向けの番組などが表示されないように加工し、加工されたＥＰＧを同チューナ制御装置に提供する。イーサネット部２は、ＥＰＧ加工装置１によって加工されたＥＰＧを、イーサネットを介して受信する。ＥＰＧ解析部３は、リストＬ２（図３参照）に記載されているようなＥＰＧチャンネル情報が得られるように、イーサネット部２で受信されたＥＰＧの解析を行う。
【００５２】
チューナ制御部７は、ＥＰＧ解析部３が行ったＥＰＧの解析の結果を、リストＬ２（図３参照）に記載されているようなＥＰＧチャンネル情報としてチューナ制御情報保持部６に書き込むとともに、そのようにしてチューナ制御情報保持部６に書き込まれたＥＰＧチャンネル情報、およびチューナ制御情報保持部６が保持しているチューナプリセットチャンネル情報を参照して、ＥＰＧチャンネル情報およびチューナプリセットチャンネル情報の何れにも存在するチャンネルを、リストＬ３（図４参照）に記載されているようなチューナ制御情報として生成してチューナ制御情報保持部６に書き込む。
【００５３】
そして、チューナ制御部７は、チューナ制御情報保持部６が保持しているチューナ制御情報を参照して、チューナ部４に対し、チューナ制御情報に存在するチャンネルの周波数の選択しか許さないような制御を行う。
【００５４】
たとえば、チャンネル選択部８がユーザの指示に応じてチューナ制御情報に存在するチャンネル１の選択を行った場合には、チューナ制御部７はチューナ部４がチャンネル１の周波数ｆ１の選択を行うように制御を行い、表示装置９はチューナ部４が出力するチャンネル１の番組のデータ信号の表示を行う。
【００５５】
他方、チャンネル選択部８がユーザの指示に応じてチューナ制御情報に存在しないチャンネル２の選択を行った場合には、チューナ制御部７はチューナ部４がチャンネル２の周波数ｆ２の選択を行わないように制御を行い、表示装置９はチャンネル２の番組のデータ信号の表示を行わない。
【００５６】
ここで、主として図５を参照しながら、本実施の形態におけるチューナ制御装置の動作、および本発明におけるチューナ制御方法の一実施の形態についてより詳細に説明する。
【００５７】
なお、図５は、本発明の実施の形態におけるチューナ制御装置の動作を説明するためのフロー図である。
【００５８】
ステップＳ１；チューナ制御部７は、チューナ制御情報保持部６を見る。そして、チューナ制御部７は、イーサネット部２が少なくとも一度はＥＰＧを受信しており、その結果として、リストＬ３（図４参照）に記載されているようなチューナ制御情報がチューナ制御情報保持部６に保持されているかどうかを判断する。
【００５９】
前述したように、リストＬ１（図２参照）に記載されているようなチューナプリセットチャンネル情報は、ユーザの指示に応じ、放送波を受信する地域に適したものとなるように、チューナ制御情報設定部５によってチューナ制御情報保持部６にあらかじめ設定が行われている。
【００６０】
なお、チャンネル５（図３参照）は、ＥＰＧチャンネル情報には存在するものの、チューナ部４が受信可能な周波数のチャンネルではないので、前述の設定はチャンネル５がチューナプリセットチャンネル情報には存在しないように行われる。
【００６１】
ステップＳ１（１）；イーサネット部２が少なくとも一度はＥＰＧを受信しており、その結果として、リストＬ３（図４参照）に記載されているようなチューナ制御情報がチューナ制御情報保持部６に保持されている場合には、まずステップＳ２へ進む。
【００６２】
ステップＳ１（２）；イーサネット部２がＥＰＧを受信したことがなく、その結果として、リストＬ３（図４参照）に記載されているようなチューナ制御情報がチューナ制御情報保持部６に保持されていない場合には、すぐにステップＳ３へ進む。
【００６３】
ステップＳ２；チューナ制御部７は、リストＬ３（図４参照）に記載されているようなチューナ制御情報を参照して、チューナ部４で受信するチャンネルを制御する。
【００６４】
より具体的に述べると、チューナ制御部７は、ユーザの指示に応じてチャンネル選択部８が選択したチャンネルがチューナ制御情報に存在するかどうかを判断する。
【００６５】
チューナ制御部７は、チャンネル選択部８が選択したチャンネルがチューナ制御情報に存在すれば、そのチャンネルの周波数で放送波を受信するようにチューナ部４を制御する。そして、チューナ部４は、その周波数で受信した放送波を映像化し、表示装置９に番組を表示させる。
【００６６】
なお、チューナ制御部７は、チャンネル選択部８が選択したチャンネルがチューナ制御情報に存在しなければ、そのチャンネルの周波数で放送波を受信しないようにチューナ部４を制御する。もちろん、チューナ部４は、放送波を映像化し、表示装置９に番組を表示させることはしない。
【００６７】
何れにせよ、つぎはステップＳ３へ進む。
【００６８】
ステップＳ３；チューナ制御部７は、イーサネット部２が新たにＥＰＧを受信しているかどうかをＥＰＧ解析部３に問い合わせる。
【００６９】
ステップＳ３（１）；イーサネット部２が新たにＥＰＧを受信している場合には、ステップＳ４へ進む。
【００７０】
ステップＳ３（２）；イーサネット部２が新たにＥＰＧを受信していない場合には、ステップＳ１へ戻る。なお、このようなループ処理は、イーサネット部２が少なくとも一度はＥＰＧを受信するまで繰り返されることになる。より具体的に述べると、イーサネット部２が一度もＥＰＧを受信したことがなければ、その間は、リストＬ２（図３参照）に記載されているようなＥＰＧチャンネル情報やリストＬ３（図４参照）に記載されているようなチューナ制御情報はチューナ制御情報保持部６に保持されておらず、リストＬ１（図２参照）に記載されているようなチューナプリセットチャンネル情報のみがチューナ制御情報保持部６に保持されていることになる。そして、チューナ制御部７は、（ａ）番組のデータ信号の、表示装置９への出力の抑制が行われるようにチューナ部４を制御するか、または（ｂ）番組のデータ信号の、表示装置９への出力が行われても、表示の抑制が行われるように表示装置９を制御する。したがって、チャンネル選択部８がユーザの指示に応じてチャンネルの選択を行っても、放送波が映像化され、表示装置９が番組を表示することはない。
【００７１】
ステップＳ４；チューナ制御部７は、チューナ制御情報保持部６を見る。そして、チューナ制御部７は、チューナ制御情報保持部６に保持されている、リストＬ２（図３参照）に記載されているようなＥＰＧチャンネル情報と、新たに受信したＥＰＧの解析の結果として抽出されたＥＰＧチャンネル情報と、を比較する。
【００７２】
なお、チューナ制御情報保持部６にはＥＰＧチャンネル情報が保持されていないかもしれないが、何れにせよ、つぎはステップＳ５へ進む。
【００７３】
ステップＳ５；ＥＰＧ解析部３は、イーサネット部２が新たに受信したＥＰＧの解析の結果としてＥＰＧチャンネル情報を抽出している。
【００７４】
そこで、チューナ制御部７は、そのようなＥＰＧの解析の結果として抽出された新たなＥＰＧチャンネル情報と、チューナ制御情報保持部６に保持されているチューナ制御情報との間に差異があるかどうかを見る。
【００７５】
ステップＳ５（１）；二つのＥＰＧチャンネル情報の間に差異がなかった場合には、すぐにステップＳ２へ戻る。
【００７６】
ステップＳ５（２）；二つのＥＰＧチャンネル情報の間に差異があった場合には、まずステップＳ６へ進む。
【００７７】
なお、ステップＳ５に関する説明の最後で述べたような、チューナ制御情報保持部６にはＥＰＧチャンネル情報が保持されていなかったときにも、同様にステップＳ６へ進む。
【００７８】
ステップＳ６；チューナ制御部７は、チューナ制御情報保持部６に保持されているチューナプリセットチャンネル情報と、前述した新たなＥＰＧチャンネル情報と、の間で論理積をとって新たなチューナ制御情報を生成する。そして、チューナ制御部７は、新たなＥＰＧチャンネル情報とともに、この生成された新たなチューナ制御情報をチューナ制御情報保持部６へ記録し、ＥＰＧチャンネル情報およびチューナ制御情報を更新する。
【００７９】
その後に、ステップＳ２へ戻る。
【００８０】
つぎに、図６を参照しながら、本発明の別の実施の形態について説明する。
【００８１】
なお、図６は、本発明の別の実施の形態におけるチューナ制御装置の構成図である。
【００８２】
このような本発明の別の実施の形態のチューナ制御装置とは、たとえば図６に示されているような、上述した実施の形態におけるチューナ制御装置と類似した構成を有するチューナ制御装置であって、番組のチャンネルの周波数の選択を行うとともに、放送局側ですでに加工されたＥＰＧが重畳された放送波からＥＰＧを抽出してＥＰＧ解析部１３へ出力するチューナ部１４と、番組に関する、チューナ部１４が出力したＥＰＧの解析を行うＥＰＧ解析部１３と、ＥＰＧの解析の結果として得られるＥＰＧチャンネル情報には存在しないチャンネルの周波数の選択が行われないように、周波数の選択の制御を行うチューナ制御部７と、を備えた、チューナ制御装置である。
【００８３】
要するに、本発明のＥＰＧは、上述した実施の形態においては、番組を放送するための放送波とは異なる伝送媒体を利用して外部から提供されたが、番組を放送するための放送波を利用して外部から提供されてもよい。
【００８４】
もちろん、本発明のＥＰＧは、たとえば、放送波とイーサネットの両方を利用して外部から提供されてもよい。このような場合には、自動操作または手動操作によって、（１）放送波とイーサネットとの何れか一方が使用される設定が行われていてもよいし、（２）放送波を利用して提供されるＥＰＧとイーサネットを利用して提供されるＥＰＧとに共通する番組のみを視聴することができるようにするなど、放送波とイーサネットとの両方が使用される設定が行われていてもよい。
【００８５】
なお、本発明におけるプログラムは、上述した本発明におけるチューナ制御方法のステップの動作をコンピュータにより実行させるためのプログラムであって、コンピュータと協働して動作するプログラムである。
【００８６】
また、本発明における記録媒体は、上述した本発明におけるチューナ制御方法のステップの全部または一部の動作をコンピュータにより実行させるためのプログラムを記録した記録媒体であり、コンピュータにより読み取り可能かつ読み取られた前記プログラムが前記コンピュータと協働して前記動作を実行する記録媒体である。
【００８７】
なお、前記ステップの動作とは、前記ステップの全部または一部の動作を意味する。
【００８８】
また、本発明におけるプログラムの一利用形態は、コンピュータにより読み取り可能な、ＲＯＭ等の記録媒体に記録され、コンピュータと協働して動作する態様であっても良い。
【００８９】
また、本発明におけるプログラムの一利用形態は、インターネット等の伝送媒体、光・電波・音波等の伝送媒体中を伝送し、コンピュータにより読みとられ、コンピュータと協働して動作する態様であっても良い。
【００９０】
また、上述した本発明におけるコンピュータは、ＣＰＵ等の純然たるハードウェアに限らず、ファームウェアや、ＯＳ、更に周辺機器を含むものであっても良い。
【００９１】
なお、以上説明したように、本発明の構成は、ソフトウェア的に実現しても良いし、ハードウェア的に実現しても良い。
【産業上の利用可能性】
【００９２】
本発明における、チューナ制御装置、チューナ制御方法、プログラム、および記録媒体は、たとえば、ＥＰＧには含まれていないが、視聴者がそのような番組を現実には視聴することができてしまう可能性をより低くできるという効果を有し、ＥＰＧと連動して放送される番組を選択するテレビ等として有用である。
【図面の簡単な説明】
【００９３】
【図１】本発明の実施の形態におけるチューナ制御装置の構成図
【図２】本発明の実施の形態におけるチューナプリセットチャンネル情報のリストＬ１の説明図
【図３】本発明の実施の形態におけるＥＰＧチャンネル情報のリストＬ２の説明図
【図４】本発明の実施の形態におけるチューナ制御情報のリストＬ３の説明図
【図５】本発明の実施の形態におけるチューナ制御装置の動作を説明するためのフロー図
【図６】本発明の別の実施の形態におけるチューナ制御装置の構成図
【符号の説明】
【００９４】
１  ＥＰＧ加工装置
２  イーサネット部
３  ＥＰＧ解析部
４  チューナ部
５  チューナ制御情報設定部
６  チューナ制御情報保持部
７  チューナ制御部
８  チャンネル選択部
９  表示装置
【図１】
2008306579.tif 000003
【図２】
2008306579.tif 000004
【図３】
2008306579.tif 000005
【図４】
2008306579.tif 000006
【図５】
2008306579.tif 000007
【図６】
2008306579.tif 000008